(57)【特許請求の範囲】
【請求項１】
建物内に設けられた換気ユニットで複数の部屋の換気を行う換気構造であって、
前記換気ユニットは、換気ユニット本体と、屋外の空気を前記換気ユニット本体に導入する外気導入路と、導入された外気を建物内部に供給する単一の外気供給路と、この外気供給路に連結された外気供給口と、建物内部の空気を前記換気ユニット本体に回収する単一の内気回収路と、この内気回収路に連結された内気回収口と、前記換気ユニット本体に回収された内気を屋外に排出する内気排出路とを有し、
前記換気ユニット本体は、前記建物内の共用空間または共用空間に隣接する１つの部屋の天井裏で、かつ前記共用空間と前記１つの部屋とを区分けする壁に近接して設置され、
前記外気供給路および前記内気回収路の一方は、前記換気ユニット本体からその直下の天井を貫通した貫通開口で構成され、他方は、前記換気ユニット本体から前記壁を貫通した貫通開口で構成され、
前記外気供給口は、前記共用空間に開口され、
前記内気回収口は、前記共用空間に隣接した１つの部屋に開口され、
前記複数の部屋はそれぞれ前記共用空間に連通可能とされ、かつ、前記複数の部屋のうち少なくとも１つは、部屋の内気を屋外に排出可能な個別排出路を備えていることを特徴とする換気構造。
【請求項２】
請求項１に記載の換気構造において、
前記換気ユニット本体は、前記共用空間の天井裏に設置され、
前記外気供給路は、前記換気ユニット本体からその直下の天井を貫通した貫通開口で構成され、
前記内気回収路は、前記換気ユニット本体から前記壁を貫通した貫通開口で構成されていることを特徴とする換気構造。
【請求項３】
請求項１に記載の換気構造において、
前記換気ユニット本体は、前記共用空間に隣接する１つの部屋の天井裏に設置され、
前記外気供給路は、前記換気ユニット本体から前記壁を貫通した貫通開口で構成され、
前記内気回収路は、前記換気ユニット本体からその直下の天井を貫通した貫通開口で構成されていることを特徴とする換気構造。
【請求項４】
請求項１から請求項３のいずれかに記載の換気構造において、
前記共用空間は、廊下またはホールであることを特徴とする換気構造。
【請求項５】
請求項１から請求項４のいずれかに記載の換気構造において、
前記１つの部屋は、リビングルームであることを特徴とする換気構造。
【請求項６】
請求項１から請求項５のいずれかに記載の換気構造において、
前記換気ユニット本体は、前記内気回収路を通じて回収された内気と前記外気導入路を通じて導入された外気との間で熱交換を行う熱交換機能を備えていることを特徴とする換気構造。
【発明の詳細な説明】
【０００１】
【発明の属する技術分野】
本発明は、セントラル換気方式により建物内部の複数の部屋を換気する換気構造に関する。
【０００２】
【背景技術】
図８は、セントラル換気方式により建物内部の複数の部屋を換気する、従来の換気構造が適用された建物の概略模式図を示すものである（特開２０００−３２９３９５号公報の図７）。
従来の換気構造におけるセントラル換気装置１００は、１階の天井部分に大型の換気ユニット本体１１０を１台設置して、建物内に設けられた全ての部屋を換気するものである。
すなわち、セントラル換気装置１００は、１階の天井裏部分つまり２階の床下部分に設置された強制的に空気の流れを形成する１台の大型の換気ユニット本体１１０と、建物の外部の新鮮な空気を部屋内に取り入れるために建物の外部から換気ユニット本体１１０に連通する外気導入配管１２０と、この外気導入配管１２０から導入された空気を換気ユニット本体１１０を介して建物の部屋内に供給する外気供給配管１３０，１５０，１４０とを備えている。
【０００３】
外気供給配管は、１階の各部屋に空気を供給するための１階用外気供給配管１３０と、２階の各部屋に空気を供給するための２階用外気供給配管１４０と、この２階用外気供給配管１４０と１階用外気供給配管１３０とを連結する縦配管１５０とから構成されている。
また、セントラル換気装置１００は、部屋内の空気を換気ユニット本体１１０に回収するために１階天井の略中央から換気ユニット本体１１０に向かって通ずる１本の内気回収配管１６０と、この内気回収配管１６０により部屋内から回収された空気を屋外に排出するために屋外と換気ユニット本体１１０との間に通ずる内気排出配管１７０とを備えている。
【０００４】
このようなセントラル換気装置１００を用いた換気構造によれば、屋外の新鮮な空気が、建物内の各部屋内に吹き出して、各部屋内を通って建物１階の略中央から回収されるので、風量が少なくとも、各部屋内の隅々までくまなく換気ができるという効果がある。
【０００５】
【発明が解決しようとする課題】
しかし、上記した従来のセントラル換気装置１００は、各部屋に外気を供給するための外気供給配管１３０，１４０や１階と２階との配管の間を連結するための縦方向に延びる縦配管１５０を形成しなければならず、配管の設置コストが増大するという問題がある。
また、従来の換気構造では、各部屋に供給された空気を回収する内気回収配管１６０は１本しかないので、建物全体の換気量を増減することはできても、特定の部屋のみを集中的に換気することはできず、特に換気を必要とする部屋に合わせて換気量を増やすと、空調された空気を大量に排出することになり、熱エネルギーのロスが大きく空調負荷が増大するという問題がある。
【０００６】
本発明の目的は、低コストで設置でき、空調負荷を増大させずに特定の部屋を集中的に換気できる換気構造を提供することにある。
【０００７】
【課題を解決するための手段】
上記目的を達成するため、本発明の換気構造は、次の構成を採用する。
本発明を図面を参照して説明すると、請求項１に記載の換気構造は、建物１内に設けられた換気ユニット１０で複数の部屋の換気を行う換気構造であって、前記換気ユニットは、換気ユニット本体１１と、屋外の空気を前記換気ユニット本体に導入する外気導入路１２と、導入された外気を建物内部に供給する単一の外気供給路１３と、この外気供給路に連結された外気供給口１６と、建物内部の空気を前記換気ユニット本体に回収する単一の内気回収路１５と、この内気回収路に連結された内気回収口１７と、前記換気ユニット本体に回収された内気を屋外に排出する内気排出路１４とを有し、
前記換気ユニット本体は、前記建物内の共用空間１Ｇまたは共用空間に隣接する１つの部屋の天井裏で、かつ前記共用空間と前記１つの部屋とを区分けする壁に近接して設置され、前記外気供給路および前記内気回収路の一方は、前記換気ユニット本体からその直下の天井を貫通した貫通開口で構成され、他方は、前記換気ユニット本体から前記壁を貫通した貫通開口で構成され、前記外気供給口は、前記共用空間に開口され、前記内気回収口は、前記共用空間に隣接した１つの部屋に開口され、前記複数の部屋はそれぞれ前記共用空間に連通可能とされ、かつ、前記複数の部屋のうち少なくとも１つは、部屋の内気を屋外に排出可能な個別排出路１８を備えていることを特徴とする。
【０００８】
なお、ここで、「外気導入路、外気供給路、内気回収路および内気排出路」とは、所定長さを有する管で構成されたものに限らず、開口のみで構成された管を有しないものも含まれる。
また、「単一の」とは、実質的に単一の意であり、その全長に亘って１本の管で構成されるものに限らず、部屋内側端部近傍で枝分かれすることにより、１つの部屋に複数の端部開口が設けられているものや、複数の部屋に各々端部開口が設けられているものも含まれる。
また、「共用空間」とは、原則としては、複数の部屋に連通する空間を意味し、例えば、廊下やホール、階段等が挙げられる。また、「共用空間とは異なる空間」とは、所定の広さに区切られた空間を意味し、リビングルームや寝室、書斎、キッチン等の居室は当然に含まれ、それら以外にも、浴室や洗面所、トイレ、納戸等が含まれる。
【０００９】
この発明によれば、屋外の新鮮な空気は、外気導入路を通じて換気ユニット本体に導入された後、単一の外気供給路を通じて外気供給口から建物内部に供給される。供給された外気は、外気供給口が開口した空間と連通した各部屋へ供給される。一方、建物内部の空気は、その一部が単一の内気回収路を通じて換気ユニット本体に回収されるとともに、回収されなかった残りの内気は、個別排出路を通じて屋外に排出される。
よって、外気供給口と各部屋とが連通し、各部屋の内気は個別排出路によって個別に排出されるから、各部屋内の隅々までくまなく換気ができるとともに、各部屋と換気ユニット本体との間のダクト配管が不要なので、換気ユニットの設置コストを低減できる。また、換気ユニット本体は、外気供給口が開口する共用空間に接して設置されているため、換気ユニット本体から外気供給口までのダクト配管を短くできるので、さらに換気ユニットの設置コストを低減できる。
また、換気ユニットの運転量を上げることで、各部屋の個別排出路からの排出量は変わらずに、外気供給量および内気回収路を通じての排出量が増加する。従って、各部屋の空調された内気を大量に排出することがないので、熱エネルギーのロスを抑え空調負荷を増大させずに内気回収口が開口した空間の換気を集中的に行うことができる。
また、共用空間に隣接する１つの部屋に内気回収口を設けたことで、換気ユニット本体と内気回収口とを近づけられ、それらの間のダクト配管を短くできるので、さらに換気ユニットの設置コストを低減できる。また、内気回収口を特に換気を行いたい１つの部屋に設けたので、この部屋で発生する湿気やにおい、たばこの煙、調理の煙等を速やかに排出することができ、結露やかび、においの染み着き等を防止し、快適な居住空間を容易に実現できる。
さらに、換気ユニット本体を天井裏に収納したので、換気ユニット本体が天井裏に隠蔽され、部屋内から見えないため、部屋の内観を良好にできる。また、外気供給路または内気回収路を換気ユニット本体からその直下の天井を貫通して設けたので、それらをダクト等で形成した場合に比べ、外気供給路または内気回収路の長さを短くできるから、換気ユニットの設置コストをさらに低減できる。
そして、換気ユニット本体を共用空間と１つの部屋とを区分けする壁に近接して設置し、この壁を貫通して外気供給路または内気回収路は設けられるので、それらをダクト等で形成した場合に比べ、外気供給路または内気回収路の長さを短くできるから、換気ユニットの設置コストをさらに低減できる。
【００１０】
請求項２に記載の換気構造は、請求項１に記載の換気構造において、前記換気ユニット本体は、前記共用空間の天井裏に設置され、前記外気供給路は、前記換気ユニット本体からその直下の天井を貫通した貫通開口で構成され、前記内気回収路は、前記換気ユニット本体から前記壁を貫通した貫通開口で構成されていることを特徴とする。
【００１１】
請求項３に記載の換気構造は、請求項１に記載の換気構造において、前記換気ユニット本体は、前記共用空間に隣接する１つの部屋の天井裏に設置され、前記外気供給路は、前記換気ユニット本体から前記壁を貫通した貫通開口で構成され、前記内気回収路は、前記換気ユニット本体からその直下の天井を貫通した貫通開口で構成されていることを特徴とする。
【００１３】
請求項４に記載の換気構造は、請求項１から請求項３のいずれかに記載の換気構造において、前記共用空間は、廊下またはホール１Ｇであることを特徴とする。
この発明によれば、外気供給路に連結される外気供給口を廊下やホールに設けることで、供給された外気が廊下やホールに連通する各部屋に容易に流れ込むので、各部屋を確実に換気でき、換気ユニットの運転効率を向上できる。
【００１４】
請求項５に記載の換気構造は、請求項１から請求項４のいずれかに記載の換気構造において、前記１つの部屋は、リビングルーム１Ａであることを特徴とする。
この発明によれば、内気回収口をリビングルームに設けたことで、リビングルームに人が多く集まった際に、換気ユニットの運転量を上げれば、内気回収路を通じての排出量を増加することができるので、人の呼気やたばこの煙等を速やかに排出し、快適な居住空間を実現できる。
【００１５】
請求項６に記載の換気構造は、請求項１から請求項５のいずれかに記載の換気構造において、前記換気ユニット本体１１は、前記内気回収路１５を通じて回収された内気と前記外気導入路１２を通じて導入された外気との間で熱交換を行う熱交換機能１９を備えていることを特徴とする。
ここで、「熱交換」には、屋外に排出される空気と建物内部に供給される空気とを直接混合させることなく、顕熱と潜熱を同時に交換する全熱交換式のものや顕熱のみを交換する顕熱交換式のものが含まれる。なお、顕熱とは、相変化や化学変化を伴わずに温度変化だけに消費される熱をいい、潜熱とは、主に空気中の水分が温度を変えずに相変化した際に消費される熱をいう。
【００１６】
この発明によれば、換気ユニット本体に回収された内気は、換気ユニット本体内部において、外気導入路を通じて導入された外気と熱交換を行った後、屋外に排出される。例えば、建物内部を暖房した状態において、建物内部から回収された暖かい内気は、熱交換により熱が吸収され、その吸収された熱は、屋外から導入された冷たい外気に加えられる。これにより、建物内部には、屋外より温度を上げられた外気が供給されることとなる。一方、建物内部を冷房した状態において、屋外から導入された暖かい外気は、熱交換により熱が吸収され、この吸収された熱は、建物内部から回収された冷たい内気に加えられる。これにより、建物内部には、屋外より温度を下げられた外気が供給されることとなる。
したがって、内気回収路を通じて換気ユニット本体に回収された内気と、外気導入路を通じて導入された外気との間で熱交換を行うことにより、適切な温度に調節された外気を建物内に供給できるから、快適な居住空間を実現できる。
【００１７】
【発明の実施の形態】
以下、本発明の実施の形態を図面に基づいて詳しく説明する。
図１ないし図４に、本発明の第１実施形態に係る換気構造を示し、図５ないし図７に、本発明の第２実施形態に係る換気構造を示すが、各実施形態において同一構成要素は同一符号とし説明を省略あるいは簡略化する。
【００１８】
〔第１実施形態〕
図１には、第１実施形態に係る換気構造が適用された建物としての一戸建て住宅１の断面図が示されている。
住宅１は、断熱性能および気密性能に優れた２階建の高断熱・高気密住宅であって、住宅１の１階および２階の複数の部屋の換気を行う換気ユニット１０を備えている。
換気ユニット１０は、１階のホール１Ｇの天井裏２１に設置される換気ユニット本体１１と、１階の天井裏２１に配設され屋外または建物内部に連通する筒状の配管１２，１４とを備えている。
【００１９】
換気ユニット１０の配管は、住宅１の外部の空気（外気）を建物内部に導入するために、住宅１の屋外から換気ユニット本体１１まで延び、屋外空間と換気ユニット本体１１とを連通する外気導入路としての外気導入配管１２と、住宅１の内部の空気（内気）を建物外部に排出するために、換気ユニット本体１１から住宅１の屋外まで延び、換気ユニット本体１１と屋外空間とを連通する内気排出路としての内気排出配管１４とを含んで構成されている。
【００２０】
換気ユニット本体１１が設置されるホール１Ｇの天井２２Ａは、隣接するリビングルーム１Ａの天井より下げられて、換気ユニット本体１１の直下には外気供給開口１３が設けられている。この外気供給開口１３は、換気ユニット本体１１から天井２２Ａを貫通して設けられた換気ユニット本体１１と共用空間としてのホール１Ｇとを連通する外気供給路とされている。外気供給開口１３のホール１Ｇ側には、外気供給口としての吹き出し口１６が形成されている。
また、換気ユニット本体１１は、ホール１Ｇとリビングルーム１Ａとを区分けする壁２３に近接して配置され、この壁２３には内気回収開口１５が設けられている。この内気回収開口１５は、換気ユニット本体１１とリビングルーム１Ａとを連通する内気回収路とされ、内気回収開口１５のリビングルーム１Ａ側には、内気回収口としての吸い込み口１７が形成されている。
さらに、１階および２階には複数の部屋が設けられ、これらの部屋は、それぞれ吹き出し口１６が設けられたホール１Ｇに連通可能とされ、かつ、各部屋の内気を屋外に排出する個別排出路としての排気ファン１８を備えている。
【００２１】
図２には、住宅１の１階部分の平面図が示されている。
１階部分には、図中下方にリビングルーム１Ａが設けられ、リビングルーム１Ａの図中上方左側にキッチン１Ｂが設けられ、リビングルーム１Ａの図中上方右側に玄関１Ｃが設けられている。そして、玄関１Ｃの図中上方には、洗面所１Ｄと、浴室１Ｅとが設けられいる。キッチン１Ｂと浴室１Ｅとの間には、トイレ１Ｆが設けられ、このトイレ１Ｆからホール１Ｇへ向かって延びる廊下１Ｊが設けられている。廊下１Ｊとキッチン１Ｂとの間に１階階段室１Ｈが設けられている。
【００２２】
ここで、キッチン１Ｂ、玄関１Ｃ、洗面所１Ｄ、１階階段室１Ｈ、および廊下１Ｊは、吹き出し口１６が設けられたホール１Ｇに連通されている。また、リビングルーム１Ａおよびトイレ１Ｆは、それぞれ出入口の扉の上部あるいは下部に設けられた通気口を介して、ホール１Ｇに連通されている。浴室１Ｅは、出入口の扉の上部あるいは下部に設けられた通気口を介して、洗面所１Ｄに連通されている。
また、換気ユニット１０の吸い込み口１７が設けられたリビングルーム１Ａを含めて、キッチン１Ｂ、浴室１Ｅ、およびトイレ１Ｆには、それぞれがホール１Ｇに連通する開口または扉からできるだけ離れた位置になるように排気ファン１８が設けられている。
【００２３】
図３には、住宅１の２階部分の平面図が示されている。
２階部分には、２つの副寝室２Ａ，２Ｂが図中下方左右に並んで設けられている。副寝室２Ａ，２Ｂの図中上部には、クローゼット２Ｃ，２Ｄが設けられている。クローゼット２Ｄの図中上方には、主寝室２Ｅが設けられている。この主寝室２Ｅの図中上部左側には、ウォークイン・クローゼット２Ｆが設けられている。ウォークイン・クローゼット２Ｆの図中下方には、納戸２Ｇが設けられ、納戸２Ｇと副寝室２Ａのクローゼット２Ｃとの間には、トイレ２Ｈが設けられ、納戸２Ｇと主寝室２Ｅとの間には、２階階段室２Ｉが設けられている。
【００２４】
ここで、２階階段室２Ｉは、１階階段室１Ｈに連通されており、副寝室２Ａ，２Ｂ、クローゼット２Ｃ，２Ｄ、主寝室２Ｅ、ウォークイン・クローゼット２Ｆ、納戸２Ｇ、およびトイレ２Ｈは、それぞれ出入口の扉の上部あるいは下部に設けられた通気口を介して、２階階段室２Ｉに連通されている。
納戸２Ｇ、およびトイレ２Ｈには、２階階段室２Ｉに通じる開口または扉からできるだけ離れた位置になるように個別排出路としての排気ファン１８が設けられている。また、クローゼット２Ｃ，２Ｄおよびウォークイン・クローゼット２Ｆにも、排気ファン１８が設けられている。
【００２５】
図４には、換気ユニット本体１１の断面図が示されている。
換気ユニット本体１１の内部には、図示しない２台の送風機と全熱交換器１９が設けられている。
送風機は、電動モーターと、この電動モーターにより回転する多数の羽根とからなり、回転する羽根により発生する強制的な空気の流れを利用して、配管の内部の空気を強制的に移動させるものである。すなわち、外気導入配管１２から導入された外気を外気供給開口１３に向かって、あるいは、吸い込み口１７から回収された内気を内気排出配管１４に向かって強制的に移動させることができるものである。具体的には、特に図示しないが、羽根車の回転に伴って気体の遠心力を利用し、気体を圧送するターボファンと、このターボファンからの吹き出し流路を形成するケーシングとを備えているものである。
なお、２台の送風機のうちの一方は、外気を建物内部に導入する外気導入用の送風機であり、他方は、内気を屋外に排出するための内気排出用の送風機である。
【００２６】
外気導入配管１２から導入された外気を部屋内側に供給する吹き出し口１６は、ホール１Ｇの天井２２Ａに設けた外気供給開口１３の内側に挿通された中空筒状部材の下方に、複数のフィンを取り付けて構成されている。
また、リビングルーム１Ａに開口し内気を回収する吸い込み口１７は、壁２３に設けられた内気回収開口１５の内側に挿通された中空筒状部材の内側に、図示しない網状のフィルター等を備えて構成されている。
【００２７】
吸い込み口１７には、内気排出量を調節できるシャッター装置３０が設置されており、吸い込み口１７は、その部屋内側にスリット状の開口を有するカバー部材３１を備えている。このカバー部材３１の内側には、カバー部材３１のスリット状の開口と同形状で、上下（図４中両矢印で示す）にスライド自在なスリット部材３２が設置されている。
これらのカバー部材３１およびスリット部材３２の他に、図示しないスライド用モーターや制御回路、センサー等を含んでシャッター装置３０は構成されている。このシャッター装置３０は、必要に応じてスリット部材３２をスライドさせることで、吸い込み口１７を全開から全閉までの間で所定の開度にすることができ、吸い込む内気の量を調節することで内気排出配管１４へ送られる内気の量を調節するものである。
【００２８】
全熱交換器１９は、吸い込み口１７から回収されて内気排出配管１４を通じて屋外へ排出される内気と、外気導入配管１２から導入されて吹き出し口１６からホール１Ｇへ供給される外気との間で熱交換を行うものである。
具体的には、熱伝導率が大きな金属や樹脂等からなるストロー状の極細薄肉円筒管を多数、配列した構造を有している。屋外に排出される内気と住宅１内部に供給される外気とのいずれか一方をストロー状の円筒管の内部を通過させ、他方をその円筒管の周囲を通過させることにより、屋外に排出される内気および住宅１内部に供給される外気のうち、温度が高い方の熱が薄肉円筒管を介して温度が低い方に伝えられることとなり、熱交換が行われる。
なお、全熱交換の方式は、上述した構造に限定されることなく、熱交換機能を有するものであれば、他の構造からなるものでもよい。
【００２９】
次に、本実施形態に係る換気ユニット１０の動作について説明する。
換気ユニット１０の換気ユニット本体１１に内蔵された２台の送風機を駆動させると、新鮮な外気は、外気導入配管１２を通じて換気ユニット本体１１に導入された後、外気供給開口１３を通じて吹き出し口１６から建物内部のホール１Ｇに供給される。
この供給された外気は、ホール１Ｇに連通した１階の各部屋と、２階階段室２Ｉおよび１階階段室１Ｈを介してホール１Ｇに連通した２階の各部屋とに供給される（図１〜図４中黒矢印で示す）。各部屋において、既にあった内気と供給された外気とは混ざり合い、一部の内気は各部屋に設けられた排気ファン１８を通じて、あるいは、クローゼット２Ｃ，２Ｄ，２Ｆなどの収納空間を経由し、これらの収納空間に設けられた排気ファン１８を通じて、屋外に排出される（図１〜図３中黒矢印で示す）。
【００３０】
一方、排気ファン１８で排出されなかった内気は、その一部が吸い込み口１７から内気回収開口１５を通じて換気ユニット本体１１に回収される（図１，図２，図４中白矢印で示す）。
この際、シャッター装置３０によって吸い込み口１７の開度を大きくすれば、各部屋の排気ファン１８から排出される内気の量はさほど変動せず、吸い込み口１７から回収される内気の量が増加する。すなわち、他の部屋に比べてリビングルーム１Ａの換気量のみが増加することになる。
【００３１】
換気ユニット本体１１に回収された住宅１の内気は、換気ユニット本体１１の全熱交換器１９によって、外気導入配管１２を通じて導入された外気と熱交換を行った後、屋外に排出される。すなわち、住宅１内部を暖房した状態において、吸い込み口１７から回収された暖かい内気は、熱交換により熱が吸収され、その吸収された熱は、屋外から導入された冷たい外気に加えられる。これにより、住宅１内部には、屋外より温度を上げられた外気が供給されることとなる。
一方、住宅１内部を冷房した状態において、屋外から導入された暖かい外気は、熱交換により熱が吸収され、この吸収された熱は、吸い込み口１７から回収された冷たい内気に加えられる。これにより、住宅１内部には、屋外より温度を下げられた外気が供給されることとなる。
【００３２】
したがって、第１実施形態によれば、次のような効果が得られる。
(１) 外気供給開口１３および内気回収開口１５は、天井２２Ａおよび壁２３を貫通した開口のみで形成され、また、吹き出し口１６が設けられたホール１Ｇは各部屋までダクトを介さずに連通可能なので、各部屋へ外気を供給するためのダクトおよび各部屋の内気を回収するためのダクト配管が不要のため、換気ユニット１０の設置コストを低減できる。
【００３３】
(２) 換気ユニット１０の運転量を上げるか、または、シャッター装置３０によって吸い込み口１７の開度を大きくすれば、各部屋の排気ファン１８からの内気の排出量はさほど変わらず、外気供給量および吸い込み口１７を通じての内気の排出量が増加することで、各部屋の空調された内気を大量に排出することがないので、熱エネルギーのロスを抑え空調負荷を増大させず、吸い込み口１７が開口した特定空間であるリビングルーム１Ａの換気を集中的に行うことができ、多くの人間が集まった場合でも呼気やたばこの煙等を速やかに排出し快適な空間を維持できる。
【００３４】
(３) 吹き出し口１６から供給された新鮮な外気は、建物内の各部屋に流れ込んだ後、吸い込み口１７または排気ファン１８に吸い込まれて排出されるから、風量が少なくとも、各部屋内の隅々までくまなく換気ができる。また、排気ファン１８によって各部屋の内気を個別に排出できるから、各部屋の空気が他の部屋に流入しづらいので居住空間の快適性を高めることができる。
【００３５】
(４) 吸い込み口１７から換気ユニット本体１１に回収された住宅１の内気と、外気導入配管１２を通じて導入された外気との間で熱交換を行うことにより、適切な温度に調節された外気を建物内に供給できるから、快適な居住空間を実現できる。
【００３６】
(５) 吹き出し口１６をホール１Ｇに設けたので、廊下１Ｊに空気を供給することにより、この空気が廊下１Ｊに連通する各部屋に容易に流れ込んで換気できるから、換気ユニット１０の運転効率を向上でき、快適な居住空間を容易に実現できる。
【００３７】
(６) 換気ユニット１０を１階天井裏２１に収納したので、換気ユニット１０が天井裏２１に隠蔽され、部屋内から見えないため、部屋の内観を良好にできる。
【００３８】
〔第２実施形態〕
本発明の第２実施形態に係る換気構造について説明を行う。本第２実施形態は、前述の第１実施形態の場合と換気ユニット本体１１の設置位置のみが相違し、その他の構成は第１実施形態と同様の構成を備える。
図５および図６には、第２実施形態に係る換気構造が適用された建物としての一戸建て住宅１の断面図および１階部分の平面図が示され、図７には、換気ユニット本体１１の断面図が示されている。
換気ユニット本体１１は、１階のリビングルーム１Ａの一部で天井２２Ａを下げた天井裏２１で、リビングルーム１Ａとホール１Ｇとを区分けする壁２３に近接して設置されている。
【００３９】
換気ユニット本体１１が近接して配置される壁２３には、外気供給開口１３が設けられ、この外気供給開口１３は、壁２３を貫通して設けられた、換気ユニット本体１１とホール１Ｇとを連通する外気供給路とされ、外気供給開口１３のホール１Ｇ側には、外気供給口としての吹き出し口１６が形成されている。
吹き出し口１６は、壁２３に設けられた外気供給開口１３の内側に挿通された中空筒状部材の内部に、複数のフィンを取り付けて構成されている。
【００４０】
また、換気ユニット本体１１の直下には内気回収開口１５が設けられている。この内気回収開口１５は、換気ユニット本体１１から天井２２Ａを貫通して設けられた換気ユニット本体１１とリビングルーム１Ａとを連通する内気回収路とされている。内気回収開口１５の部屋内側には、内気回収口としての吸い込み口１７が形成されている。
吸い込み口１７には、前述の第１実施形態の場合と同様のシャッター装置３０が設置されており、吸い込み口１７は、天井２２Ａに設けられた内気回収開口１５の内側に、下方にスリット状の開口を有するカバー部材３１と、その内側に左右（図７中両矢印で示す）にスライド自在なスリット部材３２とを備えている。
【００４１】
以上の第２実施形態に係る換気ユニット１０の動作については、前述の第１実施形態の場合と同様であり、また、第２実施形態によれば、前述の第１実施形態の効果と同様の効果が得られる。
【００４２】
なお、本発明は前述の各実施形態に限定されるものではなく、本発明の目的を達成できる範囲での変形、改良等は本発明に含まれるものである。
例えば、前述の各実施形態では、建物を２階建の住宅１としたが、これに限らず、３階以上の階数を有するものでもよく、また、住宅に限らず、事務所用や店舗用に建築された建物等でもよい。
【００４３】
また、前述の各実施形態では、換気ユニット本体１１内に２台の送風機を設けたが、これに限らず、１台の送風機を設けてもよく、また、３台以上の送風機を設けてもよく、換気ユニット本体１１の具体的な構成は、実施にあたり適宜選択することができる。
【００４５】
また、本実施形態では、換気ユニット本体１１にシャッター装置３０を設置することで内気排出量を調節できるようにしたが、これに限らず、内気回収口１７から回収された内気の一部を外気供給口１６から再び屋内へ環流させる分岐路等を備え、この内気の環流量を分岐弁等を制御して調節できる環流装置や、内気排出配管１４等に、配管の内径を変化させることで配管を通過する内気の流動抵抗を変動させ、内気排出量を調節できる抵抗装置等を設置してもよい。このような装置を設置することで、熱エネルギーのロスを抑制し空調負荷を低減することができる。
【００４６】
また、換気ユニット１０および排気ファン１８の運転は、それぞれ手動で調節するものであってもよいし、自動で調節する自動制御機能を備えたものであってもよい。
さらに、前述の各実施形態の換気ユニット１０は、換気機能のみならず、冷房機能や暖房機能、空気調整機能、消臭・脱臭機能、香り空調機能、防塵・防花粉機能等を併せ持ったものであってもよい。
【００４７】
【発明の効果】
本発明の換気構造によれば、次のような効果が得られる。
請求項１に記載の換気構造によれば、外気供給口と各部屋とが連通し、各部屋の内気は個別排出路によって個別に排出されるから、各部屋内の隅々までくまなく換気ができるとともに、各部屋と換気ユニット本体との間のダクトが不要なので、換気ユニットの設置コストを低減できる。また、換気ユニット本体を外気供給口が開口する共用空間に接して設置されているため、換気ユニット本体から外気供給口までのダクト配管を短くできるので、さらに換気ユニットの設置コストを低減できる。さらに、換気ユニットの運転量を上げることで、各部屋の個別排出路からの排出量は変わらずに、外気供給量および内気回収路を通じての排出量が増加する。従って、各部屋の空調された内気を大量に排出することがないので、熱エネルギーのロスを抑え空調負荷を増大させずに内気回収口が開口した空間の換気を集中的に行うことができる。
【００４８】
さらに、共用空間に隣接する１つの部屋に内気回収口を設けたことで、換気ユニット本体と内気回収口とを近づけられ、それらの間のダクト配管を短くできるので、さらに換気ユニットの設置コストを低減できる。また、内気回収口を特に換気を行いたい１つの部屋に設けたので、この部屋で発生する湿気やにおい、たばこの煙、調理の煙等を速やかに排出することができ、結露やかび、においの染み着き等を防止し、快適な居住空間を容易に実現できる。
【００４９】
さらに、換気ユニット本体を天井裏に収納したので、換気ユニット本体が天井裏に隠蔽され、部屋内から見えないため、部屋の内観を良好にできる。また、外気供給路または内気回収路を換気ユニット本体からその直下の天井を貫通して設けたので、それらをダクト等で形成した場合に比べ、外気供給路または内気回収路の長さを短くできるから、換気ユニットの設置コストをさらに低減できる。
【００５０】
そして、換気ユニット本体を共用空間と１つの部屋とを区切る壁に近接して設置し、外気供給路または内気回収路は壁を貫通して設けられたので、それらをダクト等で形成した場合に比べ、外気供給路または内気回収路の長さを短くできるから、換気ユニットの設置コストをさらに低減できる。
【００５１】
請求項４に記載の換気構造によれば、外気供給路に連結される外気供給口をホールに設けたことで、供給された外気がホールに連通する各部屋に容易に流れ込むので、各部屋を確実に換気でき、換気ユニットの運転効率を向上できる。
【００５２】
請求項５に記載の換気構造によれば、内気回収口をリビングルームに設けたことで、リビングルームに人が多く集まった際に、換気ユニットの運転量を上げれば、内気回収路を通じての排出量を増加することができるので、人の呼気やたばこの煙等を速やかに排出し、快適な居住空間を実現できる。
【００５３】
請求項６に記載の換気構造によれば、内気回収路を通じて換気ユニット本体に回収された内気と、外気導入路を通じて導入された外気との間で熱交換を行うことにより、適切な温度に調節された空気を建物内に供給できるので、快適な居住空間を実現できるとともに、空調された内気を屋外へ排出することによる熱エネルギーのロスを抑制できる。
【図面の簡単な説明】
【図１】本発明の第１実施形態に係る換気構造が適用された建物を示す断面図である。
【図２】前記実施形態に係る建物の１階部分の平面図である。
【図３】前記実施形態に係る建物の２階部分の平面図である。
【図４】前記実施形態に係る換気ユニット本体の断面図である。
【図５】本発明の第２実施形態に係る換気構造が適用された建物を示す断面図である。
【図６】前記実施形態に係る建物の１階部分の平面図である。
【図７】前記実施形態に係る換気ユニット本体の断面図である。
【図８】従来例に係るセントラル換気装置が適用された建物を示す概略模式図である。
【符号の説明】
１      住宅（建物）
１Ａ    リビングルーム（１つの部屋）
１Ｇ    ホール（共用空間）
１０    換気ユニット
１１    換気ユニット本体
１２    外気導入配管（外気導入路）
１３    外気供給開口（外気供給路）
１４    内気排出配管（内気排出路）
１５    内気回収開口（内気回収路）
１６    吹き出し口（外気供給口）
１７    吸い込み口（内気回収口）
１８    排気ファン（個別排出路）
１９    全熱交換器（熱交換機能）
２１    天井裏
２２Ａ    天井
２３    壁
【図１】
0003946546.tif 000002
【図２】
0003946546.tif 000003
【図３】
0003946546.tif 000004
【図４】
0003946546.tif 000005
【図５】
0003946546.tif 000006
【図６】
0003946546.tif 000007
【図７】
0003946546.tif 000008
【図８】
0003946546.tif 000009